(57)【特許請求の範囲】
【請求項１】
左右一対の脚部の間において座面板と足置き板とが支持されるハイチェアであって、
前記座面板又は前記足置き板が取り付けられ、前記座面板又は前記足置き板を前記脚部の間で支持する支持部材と、
前記支持部材を前記脚部の間において架け渡された状態で前記脚部に固定する固定部材と、
を備え、
前記支持部材は、その両端部に前記脚部の正面部分に当接する当接部分を備え、
前記固定部材は、前記脚部の背面部分において前記脚部と係合する係合部分を備え、
前記脚部の間において架け渡された状態の前記支持部材の当接部分と、前記固定部材の係合部分と、によって前記脚部を前後方向から挟持して押圧するにより、前記支持部材を前記脚部に固定すること
を特徴とするハイチェア。
【請求項２】
前記脚部は、床上に載置されるベース部によって支持され、
前記ベース部は、同一構造をなす他のハイチェアを、前記脚部の後方からベース部上に載置してスタッキングできるように構成されること
を特徴とする請求項１に記載のハイチェア。
【発明の詳細な説明】
【技術分野】
【０００１】
本発明は、一般家庭等において、子供から大人まで使用可能なハイチェアに関する。
【背景技術】
【０００２】
従来、一般家庭等において子供（特に、乳幼児）が食事をする場合には、子供の身長に合わせて座面板及び足置き板の高さを調整可能なハイチェアを用いることがある。このようなハイチェアは、左右両脚の間において座面板と足置き板とが左右方向に架け渡された状態で支持されたものであり、脚に対する座面板及び足置き板の位置を変更することで、座面板及び足置き板の高さを調整することができる（特許文献１参照）。
【０００３】
特許文献１のハイチェアは、左右両脚の間に上下に座面板と足置き板が横架されたものであり、上記座面板及び上記足置き板の側部に突設された係合部と、各脚の内側面に前後方向に沿って凹設された溝部とを有し、上記係合部及び上記溝部の凹凸係合構造により上記座面板及び上記足置き板の奥行調整範囲を規制している。
【先行技術文献】
【特許文献】
【０００４】
【特許文献１】特開２００４−１４７８０２号公報
【発明の概要】
【発明が解決しようとする課題】
【０００５】
しかしながら、特許文献１のハイチェアにおいては、左右両脚の側面において座面板及び足置き板を挟み込むことによって、座面板及び足置き板を左右両脚に固定していることから、左右両脚のねじれが生じ易く、ハイチェア自体が不安定になり易いという問題があった。そして、特許文献１のハイチェアにおいては、上記ハイチェア自体の不安定さを解消するために、左右両脚の間に金属製の棒材が横架されているため、別途補強用の部材（支柱）を左右両脚の間に設けなければならないという問題もあった。
【０００６】
そこで、本発明は、左右両脚のねじれを防止し、左右両脚の間に補強用の部材（支柱）を別途設けることなく、左右両脚を安定して保持可能なハイチェアを提供することを目的とする。
【課題を解決するための手段】
【０００７】
上記課題を解決するため、請求項１の発明に係るハイチェアは、左右一対の脚部の間において座面板と足置き板とが支持されるハイチェアであって、前記座面板又は前記足置き板が取り付けられ、前記座面板又は前記足置き板を前記脚部の間で支持する支持部材と、前記支持部材を前記脚部の間において架け渡された状態で前記脚部に固定する固定部材と、を備え、前記支持部材は、その両端部に前記脚部の正面部分に当接する当接部分を備え、前記固定部材は、前記脚部の背面部分において前記脚部と係合する係合部分を備え、前記脚部の間において架け渡された状態の前記支持部材の当接部分と、前記固定部材の係合部分と、によって前記脚部を前後方向から挟持して押圧するにより、前記支持部材を前記脚部に固定するものである。
【０００８】
上記構成によれば、支持部材と、固定部材と、によって脚部を前後方向から挟持して押圧した状態で、左右両脚部を支持する。
【００１０】
上記構成によれば、脚部の正面部分に当接させた支持部材と、脚部の背面部分において係合された固定部材と、によって脚部を前後方向から挟持して押圧した状態で、左右両脚部を支持する。
【００１１】
上記課題を解決するため、請求項２の発明に係るハイチェアは、請求項１の発明に係るハイチェアであって、前記脚部は、床上に載置されるベース部によって支持され、前記ベース部は、同一構造をなす他のハイチェアを、前記脚部の後方からベース部上に載置してスタッキングできるように構成されるものである。
【００１２】
上記構成によれば、ベース部上に同一構造をなすハイチェアを載置して、複数のハイチェアをスタッキングできる。
【発明の効果】
【００１３】
本発明によれば、脚部を前後方向から挟持して押圧する支持部材によって左右両脚部を支持することから、左右両脚部の間に補強用の部材（支柱）を別途設けることなく、左右両脚部のねじれを防止することができ、左右両脚部を安定して保持することができる。
【図面の簡単な説明】
【００１４】
【図１】本発明に係るハイチェアの斜視図である。
【図２】本発明に係るハイチェアの正面図である。
【図３】本発明に係るハイチェアの側面図である。
【図４】本発明に係るハイチェアの平面図である。
【図５】本発明に係るハイチェアの背面図である。
【図６】（ａ）は、図３のＡ‐Ａ断面図、（ｂ）は、座面固定桟及び固定部材の拡大背面図である。
【図７】本発明に係るハイチェアの斜視図である。
【図８】本発明に係る複数のハイチェアをスタッキングした際の側面図である。
【図９】本発明に係る複数のハイチェアを整列させた際の側面図である。
【発明を実施するための形態】
【００１５】
まず、本発明に係るハイチェア１の概略を説明する。
【００１６】
図１から図５に示すように、ハイチェア１は、左右一対の側脚２（「脚部」の一例）と、左右両側脚２の間において支持される背もたれ板３と、背もたれ板３の下方に設けられて左右両側脚２の間において支持される座面板４と、座面板４の下方に設けられて左右両側脚２の間において支持される足置き板５と、から主に構成される。座面板４及び足置き板５は、側脚２に対する位置を変更することにより高さを調整することができる。
【００１７】
側脚２は、ハイチェア１の左右両端に設けられる。側脚２は、床Ｙ（図９参照）上に載置されるベース部２１によってその下端部が支持される。具体的には、側脚２がベース部２１に対して鋭角をなすように、側脚２の下端部と、ベース部２１の前端部と、が連結される。側脚２がベース部２１に対して鋭角をなすことで、側脚２がベース部２１に対して所定の角度で前下がりに傾斜するように構成される。
【００１８】
ベース部２１は、側脚２の下端部から後方に延設される。左右両ベース部２１は、互いに平行に配置される。すなわち、左右両ベース部２１間の幅がハイチェア１の左右間（左右両側脚２間）の幅となる。ベース部２１は、その上面に同一構造をなす他のハイチェア１のベース部２１を載置可能な程度に、その上面が平面状に形成されている。左右両ベース部２１の間には、左右方向に横棒２２が取り付けられている。横棒２２は、棒状の部材であり、左右両ベース部２１を連結するとともに、左右両側脚２（ベース部２１）の間隔を設定するものである。横棒２２は、ネジ等の締結部材６によってベース部２１に固定される。
【００１９】
図４から図６（ａ）に示すように、側脚２は、その後部の中央部分から内側部分にかけて、平面視略Ｌ字状に前方へ切り欠けられた切り欠き部２３が形成されている。側脚２に切り欠き部２３が形成されていることで、側脚２における前部の径（太さ）が細くなっている（側脚２における背面の一部分が前方に形成されている。）。切り欠き部２３は、後述する固定部材５０の厚みと略同程度の幅で前方に切り欠かれている。切り欠き部２３には、座面板４及び足置き板５の高さを調整するための孔２４が設けられている。孔２４は、側脚２の長手方向（上下方向）に沿って所定の間隔で形成される。孔２４は、側脚２の背面から正面に向けて開けられる。
【００２０】
図１から図５に示すように、背もたれ板３は、左右両側脚２の間において架け渡された状態で支持される。背もたれ板３は、ネジ等の締結部材６によって側脚２に固定される。図１及び図４に示すように、背もたれ板３は、着座する人の背中に合うように後方へ湾曲して形成される。
【００２１】
図１から図５に示すように、座面板４及び足置き板５は、板状の部材により形成され、左右両側脚２の間において架け渡された状態で配置される。座面板４及び足置き板５は、その下面に座面固定桟４０（「支持部材」の一例）が取り付けられ、座面固定桟４０を介して左右両側脚２の間に支持される。図３及び図４に示すように、座面板４及び足置き板５は、その後端が平面視で左右両側脚２の上端（後端）を超えない範囲（左右両側脚２の上端より後方に突出しない範囲）で配置される。
【００２２】
図１から図５に示すように、座面固定桟４０は、棒状の部材により形成され、その上面に座面板４或いは足置き板５が固定されている。座面固定桟４０は、左右両側脚２の間において架け渡された状態で側脚２に固定される。図４及び図６（ａ）に示すように、座面固定桟４０は、側脚２に固定される際には、その両端部が側脚２の正面に当接させる。また、座面固定桟４０は、側脚２に固定される際には、その両端部において背面側から固定部材５０が取り付けられる。そして、座面固定桟４０の両端部を側脚２の正面に当接させた状態で固定部材５０を背面側から側脚２に固定することで、座面固定桟４０が側脚２に固定される。
【００２３】
図６（ａ）に示すように、座面固定桟４０の両端部には、平面視略Ｌ字状に後方へ切り欠けられた切り欠き部分４１が形成されている。座面固定桟４０に切り欠き部分４１が形成されることで座面固定桟４０における両端部の径（太さ）が細くなっている。切り欠き部分４１は、座面固定桟４０を側脚２に固定する際に、側脚２の正面に当接する当接部分４１Ａと、側脚２の内側面に対向する対向部分４１Ｂと、から形成される。切り欠き部分４１において側脚２の内側面に対向する対向部分４１Ｂは、その幅が当接する側脚２の内側面の幅と同程度に形成される。
【００２４】
図６（ａ）及び図７に示すように、座面固定桟４０は、その背面側両端部に、固定部材５０の一部と係合するための長溝孔４２と、固定部材５０を座面固定桟４０に固定するためのノブネジ５１を取り付けるためのネジ孔４３と、が形成されている。長溝孔４２は、左右方向に沿って延設されている。ネジ孔４３は、長溝孔４２より外側（座面固定桟４０の端側）に形成される。
【００２５】
固定部材５０は、座面固定桟４０を側脚２に固定するための部材である。固定部材５０は矩形状の部材で構成される。固定部材５０には、突起部５２（「係合部分」の一例）と、ノブネジ孔５３と、長突起部５４と、が形成される。突起部５２は、固定部材５０の一端部に形成される突起部分である。突起部５２は、座面固定桟４０を側脚２に固定する際に、側脚２の孔２４に挿入される。ノブネジ孔５３は、固定部材５０の中央部に貫通される孔部分である。ノブネジ孔５３には、座面固定桟４０を側脚２に固定する際に、ノブネジ５１がねじ込まれる。長突起部５４は、固定部材５０の他端部（突起部５２が形成される端部とは異なる固定部材５０の端部）に形成され、固定部材５０の長手方向に延びる突起部分である。長突起部５４は、座面固定桟４０を側脚２に固定する際に、座面固定桟４０の長溝孔４２に挿通される。長突起部５４は、その長手方向の長さが、座面固定桟４０の長溝孔４２における長手方向の長さより短く形成されている。
【００２６】
図６（ａ）及び図７に示すように、座面板４或いは足置き板５を側脚２の所定位置で固定する際には、側脚２の正面に、座面固定桟４０の切り欠き部分４１を当接させる。この状態で、固定部材５０の突起部５２を後方から側脚２の孔２４に挿入するとともに固定部材５０の長突起部５４を座面固定桟４０の長溝孔４２に挿入して、固定部材５０を側脚２及び座面固定桟４０の背面に当接させる。そして、固定部材５０のノブネジ孔５３にノブネジ５１をねじ込む。ノブネジ５１をノブネジ孔５３にねじ込むことにより、座面固定桟４０（切り欠き部分４１）と、固定部材５０と、によって側脚２を前後方向から挟持して押圧する力が増大し、座面固定桟４０が側脚２に固定される。ここで、座面固定桟４０と、固定部材５０と、は、側脚２における前部の径（太さ）が細くなっている部分を挟持して押圧する。
【００２７】
図６に示すように、側脚２における座面板４或いは足置き板５の位置（側脚２における固定部材５０の突起部５２の挿入位置）を変更する際には、一方の固定部材５０にねじ込まれているノブネジ５１のねじ込みを緩めて、座面固定桟４０（切り欠き部分４１）と、固定部材５０と、による側脚２を押圧する力を緩める。ここで、図６（ａ）に示すように、固定部材５０の長突起部５４の長手方向の長さが、座面固定桟４０の長溝孔４２の長手方向の長さより短いことから、固定部材５０を座面固定桟４０に対して左右方向に摺動させることで、固定部材５０の突起部５２が側脚２の孔２４から抜ける。さらに、図６（ｂ）に示すように、固定部材５０をノブネジ５１を軸として回動させることで、ノブネジ５１のねじ込みを緩めるのみで（ノブネジ５１を固定部材５０或いは座面固定桟４０から取り外すことなく）、側脚２における固定部材５０の突起部５２の挿入位置を変更することができる。
【００２８】
このように、ハイチェア１においては、座面固定桟４０と、固定部材５０と、により側脚２を前後方向から挟持し押圧して、座面固定桟４０を側脚２に固定することで、左右両側脚２の間を座面固定桟４０のみで支持することができる。そのため、左右両側脚２のねじれを防止するための補強用の部材（支柱）を左右両側脚２の間に別途設ける必要が無い。そして、図８に示すように、同一構造をなす他のハイチェア１を、ハイチェア１（側脚２）の後方からベース部２１の上面に載置することができ、ベース部２１上に複数のハイチェア１を重ねてスタッキングできる。また、ハイチェア１には、上記補強用の部材（支柱）が左右両側脚２の間に別途設けられていないため、側脚２に対する座面板４の固定位置が異なるハイチェア１であっても、各ハイチェア１の座面板４同士が干渉することなく、ハイチェア１の後方から重ねることができる。
【００２９】
さらに、ハイチェア１においては、座面板４及び足置き板５の後端が平面視で左右両側脚２の上端（後端）を超えない範囲で、座面板４及び足置き板５が左右両側脚２に支持されている。また、ハイチェア１においては、側脚２がベース部２１に対して鋭角をなすことで、側脚２がベース部２１に対して所定の角度で前下がりに傾斜している。そのため、図９に示すように、ハイチェア１同士を詰めて配置した場合であっても、前方のハイチェア１が後方のハイチェア１に座る人の邪魔にならず、狭い場所でも多くのハイチェア１を配置することができ、スペースを有効に活用することができる。
【００３０】
以上のように、本発明に係るハイチェア１によれば、側脚２を前後方向から挟持して押圧した座面固定桟４０及び固定部材５０によって左右両側脚２を支持することから、左右両側脚２の間に補強用の部材（支柱）を別途設けることなく、左右両側脚２のねじれを防止することができ、左右両側脚２を安定して保持することができる。
【００３１】
なお、ハイチェア１は、足置き板５を取り外し、座面板４を所定の高さに調整することで、例えば、大人が座るダイニングチェアとして使用することができる。
【００３２】
また、ハイチェア１は、座面板４と、足置き板５と、の配置を上下に入れ替えて使用することもできる。
【００３３】
さらに、ハイチェア１は、補強用の部材（支柱）を左右両側脚２の間に別途設けていないため、座面板４及び足置き板５を左右両側脚２の下部に取り付けることで、ローテーブル用の椅子（ローチェア）として使用することができる。
【符号の説明】
【００３４】
１                      ハイチェア
２                      側脚（脚部）
４                      座面板
５                      足置き板
２１                      ベース部
４０                      座面固定桟（支持部材）
４１Ａ                    当接部分
５０                      固定部材
５２                      突起部（係合部分）
【要約】      （修正有）【課題】左右両脚のねじれを防止し、左右両脚の間に補強用の部材（支柱）を別途設けることなく、左右両脚を安定して保持可能なハイチェアを提供する。【解決手段】左右一対の側脚２の間において座面板４と足置き板５とが支持されるハイチェア１であって、座面板４又は足置き板５を側脚２の間で支持する座面固定桟４０と、座面固定桟４０を側脚２に固定する固定部材と、を備え、座面固定桟４０と、固定部材と、によって側脚２を前後方向から挟持して押圧するように構成する。【選択図】図１【図１】
0005905138.tif 000002
【図２】
0005905138.tif 000003
【図３】
0005905138.tif 000004
【図４】
0005905138.tif 000005
【図５】
0005905138.tif 000006
【図６】
0005905138.tif 000007
【図７】
0005905138.tif 000008
【図８】
0005905138.tif 000009
【図９】
0005905138.tif 000010